(57)【要約】【課題】車両のドアを勢いよく作動させてしまう状況を生じ難くすることができるドア作動制御装置を提供する。【解決手段】ドア作動制御装置３は、ドア２が作動するときのドア２の角速度ωを検出する角速度検出部８と、ドア２の開閉作動に負荷をかけて作動の速度を変化させるアクチュエータ９と、角速度検出部８の検出信号Ｓｋを基にヒンジ式のドア２の作動を制御する作動制御部１１とを備える。作動制御部１１は、角速度検出部８の出力から求まるドア作動時の角速度ωを監視し、ドア２が勢いよく作動（本例は開作動）しないようにアクチュエータ９によってドア２に負荷をかけることにより、ドア２の動きを制御する。【選択図】図１
2017031708.tif 000002
【特許請求の範囲】
【請求項１】
車両に設けられたヒンジ式のドアの作動を制御するドア作動制御装置において、
ドア作動時における当該ドアのヒンジ軸回りの回転を検出することにより、当該ドアが作動するときの角速度を検出する角速度検出部と、
前記角速度検出部の検出信号を基に、前記ドアが勢いよく作動しないように当該ドアの動きを制御する作動制御部と
を備えたことを特徴とするドア作動制御装置。
【請求項２】
前記作動制御部は、アクチュエータによって前記ドアの作動に負荷をかけることにより、当該ドアの回転速度を抑える
請求項１に記載のドア作動制御装置。
【請求項３】
前記ドアの作動は、当該ドアの開作動であり、
前記作動制御部は、前記ドアが開作動するとき、当該ドアがゆっくり開くように制御する
請求項１又は２に記載のドア作動制御装置。
【請求項４】
前記角速度検出部は、角速度センサである
請求項１〜３のうちいずれか一項に記載のドア作動制御装置。
【発明の詳細な説明】
【技術分野】
【０００１】
本発明は、車両のヒンジ式のドアの作動を制御するドア作動制御装置に関する。
【背景技術】
【０００２】
従来、車両に設けられたヒンジ式の車両ドアの開閉作動を制御するドア作動制御装置において、車両ドアを開操作したときに、外部の障害物に接触しないようにする技術が周知である（特許文献１等参照）。特許文献１は、車両に設けたカメラにより、車両の近くにある障害物を検知し、これに接触しないように車両ドアの開角度の限界値を設定する。
【先行技術文献】
【特許文献】
【０００３】
【特許文献１】特開２００９−１１４８３号公報
【発明の概要】
【発明が解決しようとする課題】
【０００４】
しかし、車両が坂道などの斜面に停車されている状態下や強風の中で車両ドアを開けたとき、勢いよく車両ドアが開いてしまう可能性があった。この場合、車両ドアの開角度が限界値を超えてしまう懸念があり、車両ドアの開作動を制限できる他の技術の開発ニーズがあった。
【０００５】
本発明の目的は、車両のドアを勢いよく作動させてしまう状況を生じ難くすることができるドア作動制御装置を提供することにある。
【課題を解決するための手段】
【０００６】
前記問題点を解決するドア作動制御装置は、車両に設けられたヒンジ式のドアの作動を制御する構成において、ドア作動時における当該ドアのヒンジ軸回りの回転を検出することにより、当該ドアが作動するときの角速度を検出する角速度検出部と、前記角速度検出部の検出信号を基に、前記ドアが勢いよく作動しないように当該ドアの動きを制御する作動制御部とを備えた。
【０００７】
本構成によれば、ヒンジ式のドアが作動するときの角速度を検出し、その角速度を基にドアが勢いよく作動しないように、ドアの動きを制限する。よって、車両のドアを勢いよく作動させてしまう状況を生じ難くすることが可能となる。
【０００８】
前記ドア作動制御装置において、前記作動制御部は、アクチュエータによって前記ドアの作動に負荷をかけることにより、当該ドアの回転速度を抑えることが好ましい。この構成によれば、アクチュエータを介してドアの作動に負荷をかけるという簡素な制御により、ドアの作動時の勢いを弱く抑えることが可能となる。
【０００９】
前記ドア作動制御装置において、前記ドアの作動は、当該ドアの開作動であり、前記作動制御部は、前記ドアが開作動するとき、当該ドアがゆっくり開くように制御することが好ましい。この構成によれば、ドアの開操作時に、ドアが勢いよく開いてしまう状況を生じ難くすることが可能となる。
【００１０】
前記ドア作動制御装置において、前記角速度検出部は、角速度センサであることが好ましい。この構成によれば、角速度センサという汎用的なセンサを使用して、ドアの作動状態を検出することが可能となる。
【発明の効果】
【００１１】
本発明によれば、車両のドアを勢いよく作動させてしまう状況を生じ難くすることができる。
【図面の簡単な説明】
【００１２】
【図１】一実施形態のドア作動制御装置の構成図。
【図２】坂道で前側を下にして停車された車両においてドアが開操作された状態図。
【図３】ドアをゆっくり開作動させる際に実行されるフローチャート。
【発明を実施するための形態】
【００１３】
以下、ドア作動制御装置の一実施形態を図１〜図３に従って説明する。
図１に示すように、車両１は、車両１に設けられたヒンジ式のドア２の作動を制御するドア作動制御装置３を備える。本例のドア作動制御装置３は、ドア２の開閉時にドア２が勢いよく開閉作動しないようにドア２の開閉作動を制御するものである。ドア２は、車体に設けられたヒンジ機構４を介して、ヒンジ軸Ｌ回りに回転する。ドア２は、運転席ドアが好ましいが、助手席ドアなどの他のドアとしてもよい。また、全席のドア２が制御の対象となっていてもよい。
【００１４】
ドア作動制御装置３は、ドア作動制御装置３の動作を制御するコントローラ７と、ドア２が作動するときのドア２の角速度ωを検出する角速度検出部８と、ドア２の開閉作動に負荷をかけて作動の速度を変化させるアクチュエータ９とを備える。角速度検出部８は、例えば角速度センサからなり、ドア作動時におけるドア２のヒンジ軸Ｌ回りの回転を検出することにより、ドア２が作動するときの角速度ωを検出する。コントローラ７は、角速度検出部８から入力する検出信号Ｓｋを基にアクチュエータ９を駆動することにより、ドア２の作動速度を制御する。アクチュエータ９は、例えばモータであることが好ましい。
【００１５】
ドア作動制御装置３は、角速度検出部８の検出信号Ｓｋを基にヒンジ式のドア２の作動を制御する作動制御部１１を備える。作動制御部１１は、コントローラ７に設けられる。本例の作動制御部１１は、角速度検出部８の検出信号Ｓｋを基に、ドア２が勢いよく作動しないようにドア２の動きを制御する。本例において速度制御されるドア２の作動は、ドア２の開作動である。
【００１６】
次に、図２及び図３を用いて、ドア作動制御装置３の動作を説明する。
図２に示すように、車両１が坂道において下る方向を前側にして停車されて、ドア２が開操作されたとする。このとき、ドア２は重力によって勢いよく開こうとする。この場合、ドア２が意図せずに勢いよく開いてしまうと、ヒンジ式のドア２の場合、道路側にドア２が大きく飛び出し、道路の障害物や歩行者に接触する可能性があるので、ドア２の開作動をゆっくりと行うことが望まれる。本例は、このニーズに応える技術である。
【００１７】
図３に、本例のドア作動制御の制御フローチャートを図示する。
ステップ１０１において、作動制御部１１は、例えばドアカーテシ等の検出信号を基に、ドア２の開操作を監視する。作動制御部１１は、ドア２が開操作されたことを確認すると、ステップ１０２に移行する。
【００１８】
ステップ１０２において、作動制御部１１は、角速度検出部８を起動し、角速度検出部８の出力（検出信号Ｓｋ）に基づくドア２の作動、すなわちドア２のヒンジ軸Ｌ回りの回転の監視を開始する。
【００１９】
ステップ１０３において、作動制御部１１は、角速度検出部８の検出信号Ｓｋを基に、ドア２の作動（開作動）に基づく角速度ωの値を取得する。
ステップ１０４において、作動制御部１１は、取得した角速度ωが閾値ωｋ以上か否かを判定する。このとき、角速度ωが閾値ωｋ以上であれば、ステップ１０５に移行する。一方、角速度ωが閾値ωｋ未満であれば、ステップ１０３に戻り、角速度ωの値を再取得する。
【００２０】
ステップ１０５において、作動制御部１１は、ドア２をゆっくり作動させるように制御する。例えば、ドア２の開作動の実行中、アクチュエータ９を通じてドア２に開き方向と反対方向の負荷を加えることにより、ドア２がゆっくり開くように制御する。よって、例えば車両１が坂道停車しているときにドア２が開けられても、ドア２が勢いよく道路側に開いてしまうことがない。
【００２１】
本実施形態の構成によれば、以下に記載の効果を得ることができる。
（１）車両１に設けられたヒンジ式のドア２が作動するときの勢いを角速度ωにより検出し、ドア２が勢いよく作動しないようにアクチュエータ９によってドア２の動きを制限する。よって、車両１のドア２を勢いよく作動させてしまう状況を生じ難くすることができる。すなわち、坂道停車等でドア２が荷重等により勢いよく開いてしまうような状況にあっても、ドア２をゆっくりと開けることができる。これにより、ドア２の開作動時に、車外の障害物に接触してしまう状況を回避することができる。
【００２２】
（２）作動制御部１１は、アクチュエータ９によってドア２の作動に負荷をかけることにより、ドア２の回転速度を抑える。よって、アクチュエータ９を介してドア２の作動に負荷をかけるという簡素な制御により、ドア２の作動時の勢いを弱く抑えることができる。
【００２３】
（３）勢いを抑える作動の対象は、ドア２の開作動である。よって、ドア２が勢いよく開いてしまう状況を生じ難くすることができる。
（４）角速度検出部８は、角速度センサである。よって、角速度センサという汎用的なセンサを使用して、ドア２の作動状態、すなわちドア２が勢いよく開きそうであるか否かを検出することができる。
【００２４】
なお、実施形態はこれまでに述べた構成に限らず、以下の態様に変更してもよい。
・アクチュエータ９がモータの場合、通常はモータに通電をせず、ドア２の作動に負荷をかけるとき、モータに通電する態様としてもよい。
【００２５】
・アクチュエータ９がモータの場合、例えばＰＷＭ制御など、種々のモータ制御を採用可能である。
・アクチュエータ９がモータの場合、例えば車載されたイージークローザーモータを使用してもよい。
【００２６】
・ドア作動時の角速度ωが閾値ωｋ以上となるとき、例えばドア２を現在位置で保持するようにしてもよい。
・車両１に傾斜センサを設け、同センサの信号も考慮に入れて、制御を実施してもよい。
【００２７】
・ドア２は、運転席ドア以外の他のドアに変更可能である。
・角速度検出部８は、角速度センサに限定されず、例えばカメラとしてもよい。この場合、カメラの撮影画像からドア２の角速度ωを求めて、ドア２をゆっくり作動させる。
【００２８】
・本例のドア作動の制御は、ドア２が閉じるときに、ドア２をゆっくり閉じる制御に応用することも可能である。
・角速度ωが閾値ωｋ以上となったタイミングでアクチュエータ９によりドア２に負荷をかける制御に限らず、例えば角速度ωに応じた値の負荷を、ドア２に適宜付与するようにしてもよい。
【００２９】
・アクチュエータ９は、モータに限定されず、他の部材に変更可能である。
・アクチュエータ９の取り付け位置は、ドア付近であればどこでもよい。
・ドア２をゆっくり作動させるにあたって、アクチュエータ９をどのように制御するかは、ドア２の作動の勢いを抑えることができれば、種々の方式に適宜変更できる。
【００３０】
・ドア２をゆっくり作動させるにあたり、アクチュエータ９を使用することに限定されず、他の機構を採用することも可能である。
・閾値ωｋ（判定の基準値）は、固定値に限らず、可変（可変値）としてもよい。この場合、例えば傾斜センサ等によって車体の傾きを検出し、その傾きに応じて閾値ωｋを変更する。こうすれば、閾値ωｋを最適化することができる。
【００３１】
次に、上記実施形態及び別例から把握できる技術的思想について、それらの効果とともに以下に追記する。
（イ）前記ドア作動制御装置において、作動制御部は、角速度が閾値以上となったタイミングで、前記アクチュエータによって前記ドアに負荷をかける。この構成によれば、真に必要な状況下でのみ、ドアの作動に負荷をかけることが可能となる。
【符号の説明】
【００３２】
１…車両、２…ドア、３…ドア作動制御装置、８…角速度検出部、９…アクチュエータ、１１…作動制御部、Ｌ…ヒンジ軸、ω…角速度、Ｓｋ…角速度検出部の検出信号。
【図１】
2017031708.tif 000003
【図２】
2017031708.tif 000004
【図３】
2017031708.tif 000005